(57)【要約】      （修正有）【課題】風琴マチを有する財布において、端部の耐久性に優れ、製造効率の高い財布の収納部構造を提供する。【解決手段】互いに厚さ方向に沿って連設され、仕切部１１によって仕切られた複数の収納部１２ａ、１２ｂにより形成され、複数の収納部１２ａ、１２ｂは、夫々、上方に開口する開口部１３ａ、１３ｂを有すると共に、厚さ方向に折りたたみ可能に形成された折りマチ部１４、１５を有する財布１０の収納部構造において、折りマチ部１４、１５は外方へ突出して形成されていると共に、仕切部１１は接合された一対の仕切板１６により構成されている。【選択図】図１
0003207173.tif 000002
【実用新案登録請求の範囲】
【請求項１】
互いに厚さ方向に沿って連設され、仕切部によって仕切られた複数の収納部により形成され、前記複数の収納部は、夫々、上方に開口する開口部を有すると共に、厚さ方向に折りたたみ可能に形成された折りマチ部を有する財布の収納部構造において、
前記折りマチ部は外方へ突出して形成されていると共に、前記仕切部は接合された一対の仕切板により構成されていることを特徴とする財布の収納部構造。
【請求項２】
前記収納部は一方収納片部と、前記一方収納片部に対向して配設される他方収納片部とを備え、
前記一方収納片部は、一方側片部と、前記一方側片部の長さ方向両端部から夫々延設された一方側マチ片部とを有し、
前記他方収納片部は、他方側片部と、前記他方側片部の長さ方向両端部から夫々延設された他方側マチ片部とを有し、
前記一対の仕切板は、一の収納部の前記一方側片部と他の収納部の前記他方側片部とにより構成されていることを特徴とする請求項１記載の財布の収納部構造。
【請求項３】
前記折りマチ部は、前記収納部の前記一方側マチ片部と前記他方側マチ片部とにより構成されていることを特徴とする請求項２記載の財布の収納部構造。
【請求項４】
前記折りマチ部には、略同一寸法に形成された補強マチ部が取り付けられていることを特徴とする請求項３記載の財布の収納部構造。
【請求項５】
前記仕切部は、前記一対の仕切板が全面に亘って接着されて構成されていることを特徴とする請求項１記載の財布の収納部構造。
【考案の詳細な説明】
【技術分野】
【０００１】
本考案は、財布の収納部構造の改良に関するものである。
【背景技術】
【０００２】
従来より、財布の収納部には、「蛇腹マチ」、「風琴マチ」といったマチが使用されている。一般的に用いられる「蛇腹マチ」は、ジグザグ形状に形成された側面の外側に膨出する山の部分に仕切部が設けられ、谷の部分が内側に折り込まれている。そのため、収納部の長さ寸法よりも収納可能な寸法が小さくなってしまう。
一方、「風琴マチ」は、ジグザグ形状に形成された側面の内側に折り込まれる谷の部分に仕切部が設けられ、山の部分が外側に折りたたまれている。従って、「風琴マチ」は収納部の長さ寸法と収納可能な寸法とが等しく、収納物がマチに引っかかることなく取り出すことができる。
【０００３】
しかしながら、「風琴マチ」は、仕切部とマチとの接合部が内側に配設されるため、「蛇腹マチ」で一般に行われている、複数の接合部をまとめて縫製して、はみ出した部分を切断するといった作業は困難であり、収納部ごとに仕切部とマチとの接合部を縫製して収納部を作製するという作業を繰り返す必要があった。
また、従来より、仕切部は１枚の仕切板で構成し、仕切部の端部や、仕切部とマチとの接合部は薄い革を折り返して縫着する「ヘリ返し」という技術が採用されている。しかしながら、このような財布の端部を「ヘリ返し」によって構成した場合、使用時に最も擦れやすい周縁部を薄い革により構成しているため、使用時の摩擦により端部が磨耗して革が剥げてしまうという不具合があった。
本件実用新案登録出願人は、このような観点から先行技術調査を行ったが、前記要請を満たす技術を発見できなかった。
【先行技術文献】
【特許文献】
【０００４】
【特許文献１】実用新案登録第３１７４２９６号公報
【考案の概要】
【考案が解決しようとする課題】
【０００５】
本考案は、以上のような従来からの不具合を解消するためのものであって、その課題は、風琴マチを有する財布として端部の耐久性に優れ、製造効率の高い財布の収納部構造を提供することにある。
【課題を解決するための手段】
【０００６】
前記課題を解決するために、請求項１に記載の考案にあっては、互いに厚さ方向に沿って連設され、仕切部によって仕切られた複数の収納部により形成され、前記複数の収納部は、夫々、上方に開口する開口部を有すると共に、厚さ方向に折りたたみ可能に形成された折りマチ部を有する財布の収納部構造において、前記折りマチ部は外方へ突出して形成されていると共に、前記仕切部は接合された一対の仕切板により構成されていることを特徴とする。
【０００７】
従って、前記折りマチ部が外方へ突出して形成されることにより、前記折りマチ部がいわゆる「風琴マチ」として構成されると共に、前記複数の収納部を仕切る前記仕切部は接合された一対の仕切板により構成される。
【０００８】
請求項２に記載の考案にあっては、前記収納部は一方収納片部と、前記一方収納片部に対向して配設される他方収納片部とを備え、前記一方収納片部は、一方側片部と、前記一方側片部の長さ方向両端部から夫々延設された一方側マチ片部とを有し、前記他方収納片部は、他方側片部と、前記他方側片部の長さ方向両端部から夫々延設された他方側マチ片部とを有し、前記一対の仕切板は、一の収納部の前記一方側片部と他の収納部の前記他方側片部とにより構成されていることを特徴とする。
【０００９】
従って、前記仕切部は、前記一の収納部の前記一方側片部と前記他の収納部の前記他方側片部とが接合されることにより構成される。
【００１０】
請求項３に記載の考案にあっては、前記折りマチ部は、前記収納部の前記一方側マチ片部と前記他方側マチ片部とにより構成されていることを特徴とする。
【００１１】
従って、前記折りマチ部は、前記収納部の前記一方側マチ片部と前記他方側マチ片部とにより構成される。
【００１２】
請求項４に記載の考案にあっては、前記折りマチ部には、略同一寸法に形成された補強マチ部が取り付けられていることを特徴とする。
【００１３】
従って、前記折りマチ部には、前記折りマチ部と略同一寸法に形成された前記補強マチ部が取付けられる。
【００１４】
請求項５に記載の考案にあっては、前記仕切部は、前記一対の仕切板が全面に亘って接着されて構成されていることを特徴とする。
【００１５】
従って、前記仕切部は、前記一対の仕切板が全面に亘って接着されて構成される。
【考案の効果】
【００１６】
請求項１〜５に記載の財布の収納部構造にあっては、前記折りマチ部が外方へ突出して形成されることにより、前記折りマチ部がいわゆる「風琴マチ」として構成されると共に、前記複数の収納部を仕切る前記仕切部は接合された一対の仕切板により構成されるので、前記仕切部の端部を磨いて仕上げる、いわゆる「切れ目」として構成することができる。
従って、従来の財布の収納部構造のように、仕切部を１枚の仕切板で構成し、仕切部の端部を薄い革を折り返して縫着する「ヘリ返し」によって構成した場合に比して、前記端部の耐久性を高めることができると共に、製造工程を簡略化し、製造効率を高めることができる。その結果、風琴マチを有する財布として端部の耐久性に優れ、製造効率の高い財布の収納部構造を提供することができる。
【００１７】
特に、請求項２に記載の財布の収納部構造にあっては、前記仕切部は、前記一の収納部の前記一方側片部と前記他の収納部の前記他方側片部とが接合されることにより構成されるので、前記一の収納部と前記他の収納部とを互いに厚さ方向に沿って連設し、互いに隣接する前記一の収納部の前記一方側片部と前記他の収納部の前記他方側片部とを接合することによって前記仕切部を形成することができる。
【００１８】
請求項４に記載の財布の収納部構造にあっては、前記折りマチ部には、前記折りマチ部と略同一寸法に形成された前記補強マチ部が取付けられるので、前記折りマチ部及び前記補強マチ部の端部を磨いて仕上げる、いわゆる「切れ目」として構成することができる。
従って、従来の財布の収納部構造のように、折りマチ部を１枚で構成し、折りマチ部の端部を薄い革を折り返して縫着する「ヘリ返し」によって構成した場合に比して、前記端部の耐久性を高めることができる。その結果、風琴マチを有する財布として、折りマチ部の端部の耐久性に優れた財布の収納部構造を提供することができる。
【００１９】
請求項５に記載の財布の収納部構造にあっては、前記仕切部は、前記一対の仕切板が全面に亘って接着されて構成されるので、前記仕切部にかかる衝撃を分散することができ、前記端部の耐久性をより効果的に高めることができる。
【図面の簡単な説明】
【００２０】
【図１】図１は、本考案に係る財布の収納部構造の一実施の形態において、札入れ部を有する財布に適用した場合を示す平面図である。
【図２】図２は、本考案に係る財布の収納部構造の一実施の形態において、札入れ部を有する長財布に適用した場合を示す側面側斜視図である。
【考案を実施するための形態】
【００２１】
以下、添付図面に示す実施の形態に基づき、本考案を詳細に説明する。
本実施の形態にあっては、本考案に係る財布の収納部構造を長財布に適用した場合を例に説明する。
図１及び図２に示すように、本実施の形態に係る財布１０は、全体皮革によって薄形直方体形状に形成され、互いに厚さ方向に沿って連設され仕切部１１によって仕切られた二つの収納部１２ａ、１２ｂとカード収納部２７、２７・・・とにより構成される財布本体部２８と、財布本体部２８を開閉可能に被覆する表皮部３２、３２とを有している。
【００２２】
図１及び図２に示すように、二つの収納部１２ａ、１２ｂは、夫々、上方に開口する開口部１３ａ、１３ｂを有すると共に、厚さ方向に折りたたみ可能に形成された折りマチ部１４、１４、１５、１５を有している。本実施の形態においては、二つの収納部１２ａ、１２ｂは札入れ部として構成されている。
図１及び図２に示すように、本実施の形態に係る折りマチ部１４、１４、１５、１５は外方へ突出して形成されていると共に、仕切部１１は接合された一対の仕切板１６、１６により構成されている。
本実施の形態に係る仕切部１１は、一対の仕切板１６、１６が全面に亘って接着されて構成されている。
【００２３】
図１及び図２に示すように、本実施の形態に係る収納部１２ａ、１２ｂは一方収納片部１７ａ、１７ｂと、一方収納片部１７ａ、１７ｂに対向して配設される他方収納片部１８ａ、１８ｂとを備えている。
また、図１及び図２に示すように、本実施の形態に係る一方収納片部１７ａ、１７ｂは、一方側片部１９ａ、１９ｂと、一方側片部１９ａ、１９ｂの長さ方向両端部２０、２０から夫々延設された一方側マチ片部２１ａ、２１ａ、２１ｂ、２１ｂとを有している。
また、図１及び図２に示すように、本実施の形態に係る他方収納片部１８ａ、１８ｂは、他方側片部２２ａ、２２ｂと、他方側片部２２ａ、２２ｂの長さ方向両端部２３、２３から夫々延設された他方側マチ片部２４ａ、２４ａ、２４ｂ、２４ｂとを有している。
また、図１及び図２に示すように、本実施の形態に係る一対の仕切板１６、１６は、収納部１２ａの一方側片部１９ａと収納部１２ｂの他方側片部２２ｂとにより構成されている。
【００２４】
図１及び図２に示すように、本実施の形態に係る折りマチ部１４、１４は、収納部１２ａの一方側マチ片部２１ａと他方側マチ片部２４ａとにより構成されている。同様に、本実施の形態に係る折りマチ部１５、１５は、収納部１２ｂの一方側マチ片部２１ｂと他方側マチ片部２４ｂとにより構成されている。
【００２５】
図１及び図２に示すように、本実施の形態に係る折りマチ部１４、１５には、略同一寸法に形成された補強マチ部２５、２６が取り付けられている。
図示しないが、本実施の形態に係る補強マチ部２５、２６は、折りマチ部１４、１５に対して、全面に亘って接着されて構成されている。
【００２６】
図１及び図２に示すように、本実施の形態に係る表皮部３２、３２には、財布本体部２８の長辺部２９と、長辺部２９に連設する一対の対向する短辺部３０、３０とにおいて表皮部３２、３２を引手３３により開閉可能に閉止するスライドファスナー３１が設けられている。
本実施の形態にあっては、スライドファスナー３１を開放することにより表皮部３２の長辺部２９及び一対の短辺部３０、３０において収納部１２ａ、１２ｂ及びカード収納部２７、２７・・・が開放され、上方に開口部１３ａ、１３ｂが開口するように構成されている。
【００２７】
以下、本実施の形態に係る財布の収納部構造の作用について、添付図面を用いて説明する。
図１及び図２に示すように、本実施の形態に係る財布１０の収納部構造にあっては、折りマチ部１４、１４、１５、１５が外方へ突出して形成されることにより、折りマチ部１４、１４、１５、１５がいわゆる「風琴マチ」として構成されると共に、二つの収納部１２ａ、１２ｂを仕切る仕切部１１は接合された一対の仕切板１６、１６により構成されているので、仕切部１１の端部３４を磨いて仕上げる、いわゆる「切れ目」として構成することができる。
従って、従来の財布の収納部構造のように、仕切部を１枚の仕切板で構成し、仕切部の端部を薄い革を折り返して縫着する「ヘリ返し」によって構成した場合に比して、仕切部１１の端部３４の耐久性を高めることができると共に、製造工程を簡略化し、製造効率を高めることができる。その結果、風琴マチを有する財布として端部の耐久性に優れ、製造効率の高い財布の収納部構造を提供することができる。
【００２８】
特に、図１及び図２に示すように、本実施の形態に係る財布１０の収納部構造にあっては、一対の仕切板１６、１６は、収納部１２ａの一方側片部１９ａと収納部１２ｂの他方側片部２２ｂとにより構成されているので、収納部１２ａと収納部１２ｂとを互いに厚さ方向に沿って連設し、互いに隣接する収納部１２ａの一方側片部１９ａと収納部１２ｂの他方側片部２２ｂとを接合することによって仕切部１１を形成することができる。
【００２９】
また、図１及び図２に示すように、本実施の形態に係る折りマチ部１４、１５には、折りマチ部１４、１５と略同一寸法に形成された補強マチ部２５、２５が夫々取付けられているので、折りマチ部１４及び補強マチ部２５の端部３５、折りマチ部１５及び補強マチ部２６の端部３６を夫々磨いて仕上げる、いわゆる「切れ目」として構成することができる。
従って、従来の財布の収納部構造のように、折りマチ部を１枚で構成し、折りマチ部の端部を薄い革を折り返して縫着する「ヘリ返し」によって構成した場合に比して、端部３５、３６の耐久性を高めることができる。その結果、風琴マチを有する財布として、折りマチ部１４、１５の端部３５、３６の耐久性に優れた財布の収納部構造を提供することができる。
【００３０】
また、図１及び図２に示すように、本実施の形態に係る財布１０の収納部構造にあっては、仕切部１１は、一対の仕切板１６、１６が全面に亘って接着されて構成されるので、仕切部１１にかかる衝撃を分散することができ、端部３４の耐久性をより効果的に高めることができる。
【産業上の利用可能性】
【００３１】
本考案は、財布等の収納構造に広く適用可能であり、産業上利用可能性を有している。
【符号の説明】
【００３２】
１０：財布
１１：仕切部
１２ａ、１２ｂ：収納部
１３ａ：開口部
１４、１５：マチ部
１６：仕切板
１７ａ：一方収納片部
１８ａ：他方収納片部
１９ａ：一方側片部
２０、２３：長さ方向両端部
２１ａ、２１ｂ：一方側マチ片部
２２ａ、２２ｂ：他方側片部
２４ａ、２４ｂ：他方側マチ片部
２５、２６：補強マチ部
２７：カード収納部
２８：財布本体部
２９：長辺部
３０：短辺部
３１：スライドファスナー
３２：表皮部
３３：引手
３４、３５、３６：端部
【図１】
0003207173.tif 000003
【図２】
0003207173.tif 000004